(57)【要約】【課題】表面実装タイプの光素子を備えた光コネクタにおいて、光素子の電極部を配線基板の配線パターンにより確実にはんだ付すること。【解決手段】第１ハウジングは、光素子４０を収容保持する素子収容凹部１３が形成された第１ハウジング本体部１２と、光ファイバを素子収容凹部１３内の光素子に向けて案内する案内スリーブ部１４と、配線基板に対して取付固定可能な取付ロック部１６とを備えている。第１ハウジング本体部１２に、光素子４０を配線基板の主面に向けて付勢するための弾性付勢片１８が形成されている。【選択図】        図１
2004151636.tif 000002
【特許請求の範囲】
【請求項１】
光素子を収容した状態で配線基板の主面上に実装される光コネクタであって、
素子本体部の表面に電極部が形成された表面実装タイプの光素子と、
前記光素子を前記配線基板に対して表面実装可能な状態で収容保持する素子収容凹部が形成されたハウジング本体部と、光ファイバを前記光素子と光学的に結合可能に案内する案内スリーブ部と、前記ハウジング本体部の底部を前記配線基板の主面に密接状に配設した状態で前記ハウジング本体部を前記配線基板に対して取付固定するための取付部とを有する第１ハウジングと、
を備え、
前記ハウジング本体部に、前記光素子を前記配線基板の主面に向けて付勢するための素子付勢部が設けられた、光コネクタ。
【請求項２】
請求項１記載の光コネクタであって、
前記取付部は、前記配線基板側に形成された係合穴部に前記配線基板の主面側から挿入することで、その係合穴部に抜止め状に係合可能な取付ロック部である、光コネクタ。
【請求項３】
請求項１又は請求項２記載の光コネクタであって、
前記素子付勢部は、
前記ハウジング本体部の天井部に略Ｕ字状のスリットを形成することにより形成された舌片状の弾性付勢片である、光コネクタ。
【請求項４】
請求項１〜請求項３のいずれかに記載の光コネクタであって、
前記第１ハウジングを覆うようにして前記配線基板に取付固定され、光ファイバを保持した相手側の光コネクタのハウジングが嵌合接続されることで、前記光ファイバを前記案内スリーブ部に向けて案内する第２ハウジングをさらに備えた、光コネクタ。
【請求項５】
請求項４記載の光コネクタであって、
前記第２ハウジングは、相手側の光コネクタ側に係止可能なロック部を有している、光コネクタ。
【発明の詳細な説明】
【０００１】
【発明の属する技術分野】
本発明は、ＯＡ、ＦＡや車載機器等の光通信分野で用いられる光コネクタであって、特に、光素子と光ファイバとを接続する際に使用する光コネクタに関するものである。
【０００２】
【従来の技術】
従来の光コネクタとして、光素子を収容した状態で配線基板に実装されるものがある（例えば、特許文献１参照。）。この光コネクタには、光ファイバを保持した相手側の光コネクタが接続され、これにより光ファイバと光素子との光学的な結合がなされる。
【０００３】
このような従来の光コネクタでは、コネクタハウジング内にリード端子付の光素子が収容保持されており、光素子はリード端子を介して配線基板の配線パターンに電気的に接続されていた。
【０００４】
【特許文献１】
特開２００１−２９６４５５号公報
【０００５】
【発明が解決しようとする課題】
ところで、光素子として比較的小型な表面実装タイプのものがある。これを上記のような光コネクタに適用する場合には、表面実装タイプの光素子を配線基板に表面実装可能な位置に収容保持するような構成を考えることができる。
【０００６】
しかしながら、この場合、コネクタハウジングの底面と光素子の底面とが正確に一致していないと、コネクタハウジングの底面を配線基板上に密接状に配設した状態で、光素子の電極部を配線基板の配線パターンにうまくはんだ付できない恐れがある。
【０００７】
そこで、この発明の課題は、表面実装タイプの光素子を備えた光コネクタにおいて、光素子の電極部を配線基板の配線パターンにより確実にはんだ付することができる光コネクタを提供することにある。
【０００８】
【課題を解決するための手段】
上記課題を解決すべく、請求項１記載の発明は、光素子を収容した状態で配線基板の主面上に実装される光コネクタであって、素子本体部の表面に電極部が形成された表面実装タイプの光素子と、前記光素子を前記配線基板に対して表面実装可能な状態で収容保持する素子収容凹部が形成されたハウジング本体部と、光ファイバを前記光素子と光学的に結合可能に案内する案内スリーブ部と、前記ハウジング本体部の底部を前記配線基板の主面に密接状に配設した状態で前記ハウジング本体部を前記配線基板に対して取付固定するための取付部とを有する第１ハウジングと、を備え、前記ハウジング本体部に、前記光素子を前記配線基板の主面に向けて付勢するための素子付勢部が設けられたものである。
【０００９】
請求項２記載のように、前記取付部は、前記配線基板側に形成された係合穴部に前記配線基板の主面側から挿入することで、その係合穴部に抜止め状に係合可能な取付ロック部であってもよい。
【００１０】
請求項３記載のように、前記素子付勢部は、前記ハウジング本体部の天井部に略Ｕ字状のスリットを形成することにより形成された舌片状の弾性付勢片であってもよい。
【００１１】
請求項４記載のように、前記第１ハウジングを覆うようにして前記配線基板に取付固定され、光ファイバを保持した相手側の光コネクタのハウジングが嵌合接続されることで、前記光ファイバを前記案内スリーブ部に向けて案内する第２ハウジングをさらに備えていてもよい。
【００１２】
この場合、請求項５記載のように、前記第２ハウジングは、相手側の光コネクタ側に係止可能なロック部を有してもよい。
【００１３】
【発明の実施の形態】
以下、この発明の実施の形態に係る光コネクタについて説明する。
【００１４】
図１は光コネクタ１０を示す分解斜視図であり、図２は光コネクタ１０を示す断面図、図３は光コネクタ１０を配線基板７０に実装固定した状態を示す斜視図である。
【００１５】
この光コネクタ１０は、光素子４０を収容した状態で、配線基板７０に実装固定されるタイプのものである。そして、配線基板７０に実装固定された光コネクタ１０に対して、光ファイバ６１を保持した相手側の光コネクタ５０が嵌合接続される構成となっている（図２参照）。
【００１６】
この光コネクタ１０は、光素子４０と第１ハウジング１１と第２ハウジング２０とを備えている。
【００１７】
光素子４０は、光信号を電気信号に変換する受光素子（フォトダイオードやフォトトランジスタ等）或は電気信号を光信号に変換する発光素子（発光ダイオード等）である。光素子４０としては、表面実装タイプのものが用いられており、即ち、光素子４０は、素子本体部４０ａに、電極部４０ｂが形成された構成とされている。より具体的には、光素子４０は、素子本体部４０ａの背面下部表面からその底面にかけて略Ｌ字状に薄帯状の電極部４０ｂが形成されてなる（図２参照）。本実施の形態では、光コネクタ１０は、２つの光素子４０を備えている。
【００１８】
なお、このような表面実装タイプの光素子４０は、従来一般的に用いられていたリード端子付の光素子よりも、配線基板７０に対して容易に実装できるという利点がある。
【００１９】
図４は第１ハウジング１１の断面図であり、図５は第１ハウジング１１内に光素子を収容配置した状態を示す断面図である。
【００２０】
図１〜図５に示すように、第１ハウジング１１は、第１ハウジング本体部１２と、案内スリーブ部１４と、取付部としての取付ロック部１６と、素子付勢部としての弾性付勢片１８とを備えている。
【００２１】
なお、後述するように第１ハウジング１１を配線基板７０上に配設した状態で、光素子４０を配線基板７０にリフローはんだ付け等して表面実装することとなるため、この際の第１ハウジング１１の損傷を防止すべく、第１ハウジング１１はその際の加工温度以上、即ち、はんだ付け温度にて溶けない材料を用いて形成することが好ましい。また、光素子４０で生じた熱を効率的に外部に放出するため、第１ハウジング１１は、熱伝導率のよい材料、ここでは、第２ハウジング２０よりも熱伝導率のよい材料を用いて形成することが好ましい。これらの両方を満たす材料としては、銅や銅合金等の金属材料を挙げることができる。
【００２２】
第１ハウジング本体部１２は、底部側が開口する略直方体筺状体に形成されており、その内部に素子収容凹部１３が形成されている。
【００２３】
素子収容凹部１３は、光素子４０を配線基板７０の一方側主面である上面側に表面実装可能な状態で収容保持可能に形成されている。すなわち、素子収容凹部１３は、光素子４０の外側形状とほぼ同一の内側形状を有している。また、第１ハウジング本体部１２の背面底部側が開口している。そして、この素子収容凹部１３内に光素子４０を収容配置すると、光素子４０の電極部４０ｂが第１ハウジング本体部１２の底部側開口及び背面底部側開口を通じて露出して配設される。そして、この第１ハウジング本体部１２を配線基板７０上に密接状に配設した状態で、電極部４０ｂが配線基板７０の上面側に形成された所定の配線パターン７２に接触或は近接配置される。
【００２４】
また、第１ハウジング本体部１２の前面側に案内スリーブ部１４が突出配置されている。案内スリーブ部１４は、相手側光コネクタ５０のフェルール部５５を挿入可能でかつ各素子収容凹部１３内に連通する孔を有する略筒状に形成されている。そして、光コネクタ１０と光コネクタ５０とを接続すると、各フェルール部５５がそれぞれ対応する各案内スリーブ部１４内に挿入されて各素子収容凹部１３の光素子４０に向けて案内される。そして、各フェルール部５５を各案内スリーブ部１４に奥まで完全に挿入した状態では、各フェルール部５５の先端部に露出する各光ファイバ６１の端面が各光素子４０の発光面又は受光面に対向配置され、両者の光学的な結合がなされる構成となっている。
【００２５】
なお、本実施の形態では、２つのハウジング本体部１２がその底部で相互に連結されており、それぞれのハウジング本体部１２に光素子４０が収容配置される。
【００２６】
また、取付ロック部１６は、配線基板７０側に形成された係合穴部７４に配線基板７０の上面側から挿入することで、その係合穴部７４に抜止め状に係合可能に構成されている。
【００２７】
具体的には、取付ロック部１６は、第１ハウジング１１の両側部に一対形成されている。各取付ロック部１６は、第１ハウジング１１の両側部から下方に向けて延設された延設ロック片１６ａと、各延設ロック片１６ａの先端部に突出形成されたロック突部１６ｂとを備えている。
【００２８】
各延設ロック片１６ａは、配線基板７０側に形成された係合穴部７４に挿入可能な長板状に形成されている。
【００２９】
また、各ロック突部１６ｂは、各延設ロック片１６ａの先端部より外側方へ突出するように形成されており、該各ロック突部１６ｂを配線基板７０の下面側で前記係合穴部７４の周縁部に係合可能に構成されている。
【００３０】
また、この各ロック突部１６ｂの上面と第１ハウジング１１の底部間の距離寸法は、配線基板７０の厚み寸法と略同一に形成されている。そして、ロック突部１６ｂを配線基板７０の下面側で係合穴部７４の周縁部に抜止め状に係合させた状態では、第１ハウジング１１の底部が配線基板７０の上面に当接した状態となり、これにより、第１ハウジング１１が配線基板７０に対して略垂直な方向に位置決めされる構成となっている。
【００３１】
また、各ロック突部１６ｂの下面は、第１ハウジング１１の外側方に向うに従って内向き傾斜する傾斜面に形成されている。そして、各取付ロック部１６を対応する各係合穴部７４に、配線基板７０側の上方より挿入すると、まず、前記各傾斜面が各係合穴部７４の周縁部に摺接して、各延設ロック片１６ａが第１ハウジング１１の内方に向けて弾性変形する。そして、各ロック突部１６ｂが各係合穴部７４の内周部を乗越えると、各延設ロック片１６ａが元の直線状態に原形復帰して、各ロック突部１６ｂが配線基板７０の下面側で各係合穴部７４に抜止め状に係合する構成となっている。
【００３２】
各ロック突部１６ｂは、後述するように、光素子４０を配線基板７０に表面実装する際に、第１ハウジング１１の底部を配線基板７０の上面に密接状に配設した状態を保つ役割を果す。かかる役割を果す要素としては、上述したようなロック突部１６ｂの他、例えば、第１ハウジング１１をはんだや接着剤等を用いて固定する構成等、要するに、第１ハウジング本体部１２の底部を配線基板７０の主面に密接状に配設した状態でハウジング本体部１２を配線基板７０に対して取付固定するための適用可能な種々の構成を採用することができる。
【００３３】
また、上記各第１ハウジング本体部１２の天井部に略Ｕ字状のスリット１８ｓを形成することにより、舌片状の弾性付勢片１８が形成されている。
【００３４】
すなわち、弾性付勢片１８の外周囲の一側部は、第１ハウジング本体部１２の天井部に連結されており、弾性付勢片１８の外周囲の他の部分は、前記スリット１８ｓを介して第１ハウジング本体部１２の天井部から分離されている。そして、弾性付勢片１８が第１ハウジング本体部１２の天井部との連結部分を中心にして、該天井部の内外へ弾性変形自在となっている。
【００３５】
また、弾性付勢片１８の内面に、突部１８ａが形成されている（図４参照）。そして、上記素子収容凹部１３内に光素子４０を挿入すると、突部１８ａが光素子４０の素子本体部４０ａの上面に当接する。光素子４０を素子収容凹部１３内のさらに奥に押込むと、突部１８ａが上方に押上げられて、弾性付勢片１８が上方に弾性変形する。この状態では、弾性付勢片１８の弾性復元力により、突部１８ａを介して光素子４０が下方に付勢された状態となる。
【００３６】
なお、弾性付勢片１８の構成としては、上記のものに限られず、例えば、上記突部１８ａを省略して、弾性付勢片１８を第１ハウジング本体部１２の内方に向けて折曲げるようにしてもよい。また、ハウジング本体部１２自体を加工して舌片状の弾性付勢片１８を形成する代りに、他の板バネやコイルバネ等の弾性部材を、素子収容凹部１３内の天井部に配設して、光素子４０を底部側に向けて付勢するようにしてもよい。
【００３７】
要するに、素子収容凹部１３内に収容配置された光素子４０を、その底部側に向けて付勢可能な種々の弾性付勢手段を、素子付勢部として用いることができる。
【００３８】
第２ハウジング２０は、樹脂等により形成され、前記第１ハウジング１１を覆うようにして配線基板７０に取付固定可能で、かつ、相手側の光コネクタ５０を嵌合接続可能に構成されている。
【００３９】
すなわち、第２ハウジング２０は、概略扁平な筒状体に形成されており、その一端部は、相手側の光コネクタ５０が嵌合接続される接続筒部２２に形成されると共に、その他端部が上記第１ハウジング１１を覆うように収容するハウジング収容部２６に形成されている。
【００４０】
ハウジング収容部２６は、第１ハウジング１１を収容可能な内部空間を有している（図２及び図３参照）。好ましくは、この第２ハウジング２０に加わった力が第１ハウジング１１に作用し難くするため、第１ハウジング１１とハウジング収容部２６とは直接接触しないように、ハウジング収容部２６は、第１ハウジング１１との間に所定の隙間を隔てて覆っていることが好ましい。
【００４１】
また、ハウジング収容部２６の背面側は開口しており、第１ハウジング１１がハウジング収容部２６内に収容された状態で、当該第１ハウジング１１の背面はハウジング収容部２６の背面側開口を通じて外部に露出している。
【００４２】
また、上記接続筒部２２は、光コネクタ５０を内嵌め可能な略筒状に形成されており、配線基板７０上に取付固定された状態で、両案内スリーブ部１４を囲う位置に配設される。
【００４３】
そして、相手側の光コネクタ５０が当該接続筒部２２に嵌合接続されると、フェルール部５５が案内スリーブ部１４内に向けて案内されることとなる。
【００４４】
また、このハウジング収容部２６は、相手側の光コネクタ５０側に係止可能なロック部２３を有している。
【００４５】
すなわち、相手側の光コネクタ５０のハウジング上面に凹状の被ロック部５１が形成され、上記接続筒部２２の内周部上面側に、被ロック部５１と対向する位置に突起状のロック部２３が形成されている。そして、両光コネクタ１０，５０を嵌合接続すると、上記ロック部２３が被ロック部５１に係合し、両光コネクタ１０，５０の接続状態が保持されることとなる。
【００４６】
さらに、この第２ハウジング２０には、配線基板７０に固定可能な取付固定部２１が設けられている。この取付固定部２１の配線基板７０に対する固着力は、取付ロック部１６の配線基板７０に対する固着力より大きい。ここでは、第２ハウジング２０を配線基板７０に対してより強固に固定するため、取付固定部として、配線基板７０にネジ止固定可能な構成を採用している。
【００４７】
すなわち、第２ハウジング２０の両側部に、外方に突出してネジ孔２１ｈを有する取付固定部２１が一対形成されている。そして、第２ハウジング２０を配線基板７０の上面上に配設した状態で、配線基板７０の下方より、ネジＳを当該配線基板７０のネジ挿通孔７１に挿通させて前記ネジ孔２１ｈに螺合締結させることで、本第２ハウジング２０が配線基板７０にネジ止固定されることになる。
【００４８】
このように構成された光コネクタ１０を配線基板７０の上面上に実装固定する手順について説明する。
【００４９】
まず、各光素子４０を第１ハウジング１１の各素子収容凹部１３内に収容配置する。一方、配線基板７０側の配線パターン７２側の所定領域には、はんだペーストを塗布しておく。
【００５０】
そして、各光素子４０の各電極部４０ｂを対応する配線パターン７２上に配設しつつ、各取付ロック部１６を各係合穴部７４に配線基板７０の上面側から挿入して該各係合穴部７４に抜止め状に係合させて、第１ハウジング１１を配線基板７０の上面に取付固定する。
【００５１】
この状態では、各弾性付勢片１８の弾性復元力により、各光素子４０が配線基板７０の上面に向けて付勢されている。従って、各光素子４０の底部は、配線基板７０の上面に密接するように押付けられ、各電極部４０ｂは、対応する配線パターン７２により確実にリフローはんだ付け可能な程度に密接して或は近接して配設された状態となっている。
【００５２】
この状態で、周知のリフローはんだ付け装置において、高温雰囲気中に曝し、配線パターン７２上のはんだペーストを溶融させて、光素子４０の電極部４０ｂを配線パターン７２にはんだ付けする。
【００５３】
なお、このように第１ハウジング１１を配線基板７０に取付固定した状態で、各光素子４０のはんだ付けを行っているため、第１ハウジング１１の取付位置と各光素子４０の取付位置とがずれ難い。従って、各光素子４０の各電極部４０ｂと配線パターン７２とのはんだ付け部分に、上記取付位置のずれに起因するストレスが作用し難く、当該はんだ付け部分のクラックやはんだ外れ、接触不良等を防止できるという利点がある。
【００５４】
次に、第１ハウジング１１を覆うようにして、第２ハウジング２０を配線基板７０上に配設し、ネジＳを配線基板７０の下方より取付固定部２１のネジ孔２１ｈに螺合締結させて、本第２ハウジング２０を配線基板７０にネジ止固定する。この際、第１ハウジング１１と第２ハウジング２０とが別体に形成されているため、それらが一体形成されている従来例と比べて、ネジ締めの際のストレスが光素子４０のはんだ付け部分に加わり難い。このようにして、第１ハウジング１１が第２ハウジング２０内に収容され一体的に組合わされる。
【００５５】
このように配線基板７０上に実装固定された光コネクタ１０に対して相手側の光コネクタ５０を接続すると、まず、当該相手側の光コネクタ５０は第２ハウジング２０に挿入接続される。そして、光コネクタ５０がより奥に挿入されると、各フェルール部５５がそれぞれ対応する各案内スリーブ部１４内に挿入されて各素子収容凹部１３の光素子４０に向けて案内される。そして、光コネクタ５０を最も奥に挿入した状態では、各光ファイバ６１の端面が各光素子４０の発光面又は受光面に対向配置され、両者の光学的な結合がなされる。この接続状態では、上記ロック部２３が被ロック部５１に係合して、両光コネクタ１０，５０の接続状態が保持されている。
【００５６】
つまり、光コネクタ５０が第２ハウジング２０に挿入接続されることで、光コネクタ５０の大まかな位置案内がなされ、各フェルール部５５が各案内スリーブ部１４に向けて案内される。そして、光コネクタ側の各フェルール部５５が各案内スリーブ部１４内に挿入されることで、より高精度な光ファイバ６１と光素子４０との光軸合わせが行われる。また、第２ハウジング２０側のロック部２３が光コネクタ５０側の被ロック部５１に係合することで、両光コネクタ１０，５０の接続状態が強固に保持される。
【００５７】
以上のように構成された光コネクタによると、弾性付勢片１８により、各光素子４０を配線基板７０の上面に向けて付勢した状態で、該各光素子４０をはんだ付けすることができるため、各光素子４０の各電極部４０ｂを配線基板７０の配線パターン７２により確実にはんだ付することができる。
【００５８】
また、各ハウジング本体部１２の天井部に略Ｕ字状のスリット１８ｓを形成することで弾性付勢片１８を形成したものにあっては、別部材を用いることがなく、簡易な構成とすることができる。
【００５９】
また、取付ロック部１６を配線基板７０側の係合穴部７４に挿入することで、当該係合穴部に抜止め状に係合させることができるため、容易に第１ハウジング１１を配線基板７０上に取付固定することができる。
【００６０】
また、相手側の光コネクタ５０を嵌合接続可能な第２ハウジング２０が、第１ハウジング１１を覆うようにして配線基板７０に取付固定されることとなるため、相手側の光コネクタ５０側に、大きな力が加わった場合でも、その力は第２ハウジング２０で受止められることとなる。従って、大きな力が第１ハウジング１１や光素子４０に加わり難くなり、はんだ付部分へのストレスをより確実に防止することができる。
【００６１】
しかも、ロック部２３が被ロック部５１に係合することで、両光コネクタ１０，５０の接続状態が保持されているため、例えば、光ファイバ６１が引張られる等で、光コネクタ５０に引抜き方向の力が加わった場合にも、当該力は第２ハウジング２０で受止められることとなり、この点においても、はんだ付部分へのストレスをより確実に防止することができる。
【００６２】
なお、本実施の形態では、自動車での使用等、光コネクタ５０や光ファイバ６１に振動や大きな力等が加わる環境下での使用を想定しているが、一般家庭電化製品での使用等、そのような振動や力が加わり難い環境下で使用する場合には、第２ハウジング２０を省略しても構わないし、また、第１ハウジング１１と第２ハウジング２０とが一体形成されていてもよい。
【００６３】
また、本実施の形態及びその変形例では、２つの光素子４０を備えるいわゆる２極型の光コネクタ１０について説明したが、１極型或は３極以上の複数極型の光コネクタについても同様に適用できる。
【００６４】
【発明の効果】
以上のように、この発明の請求項１記載の光コネクタによると、素子付勢部により、光素子を配線基板の主面に向けて付勢した状態で、光素子をはんだ付けすることができるため、光素子の電極部を配線基板の配線パターンにより確実にはんだ付することができる。
【００６５】
また、請求項２記載の発明によれば、取付ロック部を配線基板側の係合穴部に挿入して係合させることで、容易に第１ハウジングを配線基板上に取付固定することができる。
【００６６】
さらに、請求項３記載の発明によれば、前記ハウジング本体部の天井部に略Ｕ字状のスリットを形成することにより舌片状の弾性付勢片を形成しているため、別の他部材を用いることがなく、簡易な構成とすることができる。
【００６７】
また、請求項４記載の発明によれば、相手側の光コネクタ側に大きな外力が加わった場合等に、その力が第２ハウジングに受止められ、従って、大きな力が第１ハウジングや光素子に加わり難くなり、はんだ付部分へのストレスをより確実に防止することができる。
【００６８】
請求項５記載の発明によれば、相手側の光コネクタに引抜き方向の力が加わった場合にも当該力は第２ハウジングで受止められることになり、従って、はんだ付部分へのストレスをより確実に防止することができる。
【図面の簡単な説明】
【図１】光コネクタを示す分解斜視図である。
【図２】同上の光コネクタを示す断面図である。
【図３】光コネクタを配線基板に実装固定した状態を示す斜視図である。
【図４】第１ハウジングを示す断面図である。
【図５】第１ハウジング内に光素子を収容配置した状態を示す断面図である。
【符号の説明】
１０  光コネクタ
１１  第１ハウジング
１２  第１ハウジング本体部
１３  素子収容凹部
１４  案内スリーブ部
１６  取付ロック部
１８  弾性付勢片
１８ｓ  スリット
２０  第２ハウジング
２１  取付固定部
２３  ロック部
４０  光素子
４０ａ  素子本体部
４０ｂ  電極部
５０  光コネクタ
５１  被ロック部
５５  フェルール部
６１  光ファイバ
７０  配線基板
７２  配線パターン
７４  係合穴部
【図１】
2004151636.tif 000003
【図２】
2004151636.tif 000004
【図３】
2004151636.tif 000005
【図４】
2004151636.tif 000006
【図５】
2004151636.tif 000007